(57)【要約】      （修正有）【課題】ネットワークビジネスにおける勧誘する作業を行わなくてもよくする。【解決手段】資料請求した時点での順番で仮リストを作り、一定期間保存される。表示機器を利用し仮リストが保持されている時間を確認できるようにする。仮リストの時正式データがそろい次第、正式リストとして登録し、すでにあるラインの下に自動的に新たなラインを形成する。正式データがそろわない場合、仮リストは破棄される。本システムを使うことにより勧誘する作業を行わなくてよくなる。勧誘を行う場合はデータ入力時に紹介者の情報を入力させる。または紹介者を確認できる表示機器を経由し本システムに参加することにより紹介者の下にラインを形成する。登録の順番に仮リスト化することにより距離的ハンディキャップをなくす。仮リストの時点で、本システムに参加することにより正式リストとして登録するまでの時間を有効に使えるようにする。【選択図】図１
2005182333.tif 000002
【特許請求の範囲】
【請求項１】
情報請求を送信するステップと、前記情報請求を受信するステップと、前記請求を受信順に一定期間保持する仮リストを作成するステップと、前記請求された情報を送信するステップと、前記リストを一定期間過ぎたら破棄するステップと、勧誘を行う場合はデータ入力時に紹介者の情報を入力させるおよび/または紹介者を確認できる表示機器を経由し参加することにより紹介者の下にラインを形成するステップと、前記正式登録に必要な情報を送信するステップと、前記情報を受信するステップと、期間内に前記情報を受信し仮リスト順に正式リストを作成するステップと、上記正式登録後に勧誘した場合も上記勧誘のステップを利用するステップとを有する方法。
【発明の詳細な説明】
【技術分野】
【０００１】
本発明は、ネットワークビジネスにおいて、新規ユーザー勧誘作業をシステム化し簡単にし、ネットワークビジネスに参加しやすくしたものである。
【背景技術】
【０００２】
ネットワークビジネスとは例としてAさんがネットワークビジネス会社の会員になり商品を購入する。購入したネットワークビジネス会社からポイントがもらえる。AさんがBさんにネットワークビジネス会社を紹介し、Bさんが会員になり商品を購入するとBさんに入ったポイントが一定の割合でAさんももらえるようになる。つまりネットワークビジネスとは紹介者を探すことが重要である。しかしネットワークビジネス会社では紹介者を勧誘する作業がシステム化されてないため個々人によりセールス能力の違いにより紹介者を勧誘する能力の違いが出てしまっている。
【発明の開示】
【発明が解決しようとする課題】
【０００３】
ネットワークビジネスに参加するメンバーが新規ユーザーを勧誘する作業を行わなくてもよくする。
新規ユーザーの登録の順番を正確にするために資料請求の時点で仮リスト化することで距離的「郵送時間」ハンディキャップをなくす。
分散されている新規ユーザーを勧誘する努力を集める。
仮リストの時点でも新規ユーザーを勧誘することができるようにし正式登録までの時間を有効に使えるようにする。
仮リストの時点で勧誘が出来るため、参加するかを仮リストの時点で考えることが出来、参加しやすくする。
【課題を解決するための手段】
【０００４】
表示機器を見てこのシステムに興味のある人がまず本システムについての情報を請求する。請求をしてきた順番で一定期間保持される仮リストを作成する。またその時点で個人番号が与えられ、一定期間保持されている仮リストの時間を正確にわかる表示機器が利用できるようになる。仮リスト化することにより、ネットワークビジネスで重要な順番を正確にする。
仮リスト化されたユーザーに情報を送信する。
仮リストの時点でも仮リスト化していることでユーザーを勧誘できる。
そのとき勧誘されたユーザーは勧誘したユーザーの個人番号を入力又は、表示機器を経由し本システムに参加することで、勧誘したユーザーの下に仮リストとしてつけられる。勧誘したユーザー下に付いた勧誘されたユーザーも同じように仮リストとしての行動が出来る。
本システムに登録意思のある仮リストされたユーザーが保持されている一定期間内に登録に必要な情報を本システムに送信し、本システムが受信し仮リスト順に正式リストが作成され、当システムに登録される。一定期間を過ぎた仮リスト、個人番号、時間確認表示機器は破棄される。
本システムに正式登録以降は制限時間なしに勧誘を行うことができると同時に、順番が回ってくると各ネットワークビジネスにより設定されている人数まで下につけてもらえる。この場合の人とは誰かに紹介されて本システムに参加した人ではなく、表示機器を直接見て参加した人を指す。
【発明の効果】
【０００５】
上記発明のように仮リスト化することにより登録までの時間も勧誘作業をすることが出来、時間を有効に使うことが出来る。データや資料を送信、郵送の際生じる距離的ハンディキャップをなくすことが出来、正確な順番を与えることが出来る。表示端末を見ることにより正確な残り時間を知ることが出来る。制限時間内であれば正式登録前でも金銭的リスクなしに勧誘をすることが出来、正式登録する前でも勧誘作業が可能になる。順番が回ってくれば自動的に下に付くこともあり、時間を有効に使うことが出来。分散されていた勧誘の作業を集約することが出来る。本来自らが行う紹介者を探す作業を行わなくてもすむようになり、自ら行った場合自らの勧誘した努力は自分のものとなり、自分以外の参加者の努力も自分のものと出来る。
勧誘された方も本システムを使うことができるので、勧誘するときに本システムが使えることを伝えることもできる。勧誘された人も本システムごと新たな紹介者の獲得に生かすことができる。
【発明を実施するための最良の形態】
【０００６】
ホームページを見てこのシステムに興味のある人が本システムについての資料をメールで請求する。本システムが受信しメールの受信順番で５日間保持される仮リストを作成する。またその時点で個人番号と５日間保持されている仮リストの時間を正確にわかるホームページが与えられる。個人番号、ホームページも同じように５日間保持される。仮リスト化することで正式登録するまでの郵送の時間のハンディキャップをなくすことが出来、正確な順番が与えられる。
仮リスト化されたユーザーに資料「本システムの説明、本システムへの登録資料、使用するネットワークビジネス会社の資料」を郵送する。
仮リスト化していることで正式登録前でも新規ユーザーを勧誘できる。
そのとき勧誘した新規ユーザーは自分の個人番号を入力又は、与えられた自分の仮リストの保持されている時間がわかるホームページを経由し本システムに参加する「資料請求する」ことで、自分の下に仮リストとしてつけられる。自分の下に付いた仮リストも自分と同じように仮リストの行動が出来る。
本システムに登録意思のある仮リスト化されたユーザーが保持されている５日間以内に登録に必要なデータ「本システムに登録、使用ネットワークビジネスに登録」を記入し登録資料を本システムに郵送し、本システムが受け取り個人番号はそのままで仮リスト順に正式リストが作成され、本システムに登録される。一定期間を過ぎた仮リスト、個人番号、仮リスト保持時間確認ホームページは破棄される。仮リスト時に付いたユーザーが参加しなかった場合繰り上げてリスト化される。５日過ぎて送られてきた登録資料は仮リスト、個人番号、時間確認ホームページが破棄されているため、登録資料が届いた時点で、新たに仮リストに登録した順番として正式リストに登録される。
本システムに正式登録以降は制限時間なしに勧誘を行うことができると同時に、順番が回ってくると各ネットワークビジネスにより設定されている人数まで下につけてもらえる。この場合の人とは誰かに紹介されて本システムに参加した人ではなく、本システムのホームページを直接見て参加した人を指す。
上記および/図、発明の実施形態でのホームページはビジネスとして活動したときの表示機器の一例であり、ホームページだけに限定したものではない。
上記、発明の実施形態での資料、資料内容とはビジネスとして活動したときの情報の一例であり、資料、資料内容だけに限定したものではない。
上記、発明の実施形態での仮リストの保持期間の５日はビジネスとして活動したときの一例であり、５日だけに限定したものではない。
上記、発明の実施形態での郵送とはビジネスとして活動したときの情報の配信、送信の一例であり、郵送だけに限定したものではない。
上記、発明の実施形態での記入とはビジネスとして活動したときの情報の記入、入力の一例であり、記入だけに限定したものではない。
上記すべての詳細な説明の中のネットワークビジネスとはビジネスとして活動したときのマルチレベルマーケティング、自分だけでなく紹介した人のポイントも入ってくるビジネス形態の一例であり又当発明を説明する上で不可欠な言葉であり、ネットワークビジネスだけに限定したものではない。
【実施例１】
【０００７】
ホームページを見てこのシステムに興味のある人が本システムについての資料をメールで請求する。本システムが受信しメールの受信順番で５日間保持される仮リストを作成する。またその時点で個人番号と５日間保持されている仮リストの時間を正確にわかるホームページが与えられる。個人番号、ホームページも同じように５日間保持される。仮リスト化することで正式登録するまでの郵送の時間のハンディキャップをなくすことが出来、正確な順番が与えられる。
仮リスト化されたユーザーに資料「本システムの説明、本システムへの登録資料、使用するネットワークビジネス会社の資料」を郵送する。
仮リスト化していることで正式登録前でも新規ユーザーを勧誘できる。
そのとき勧誘した新規ユーザーは自分の個人番号を入力又は、与えられた自分の仮リストの保持されている時間がわかるホームページを経由し本システムに参加する「資料請求する」ことで、自分の下に仮リストとしてつけられる。自分の下に付いた仮リストも自分と同じように仮リストの行動が出来る。
本システムに登録意思のある仮リスト化されたユーザーが保持されている５日間以内に登録に必要なデータ「本システムに登録、使用ネットワークビジネスに登録」を記入し登録資料を本システムに郵送し、本システムが受け取り個人番号はそのままで仮リスト順に正式リストが作成され、本システムに登録される。一定期間を過ぎた仮リスト、個人番号、仮リスト保持時間確認ホームページは破棄される。仮リスト時に付いたユーザーが参加しなかった場合繰り上げてリスト化される。５日過ぎて送られてきた登録資料は仮リスト、個人番号、時間確認ホームページが破棄されているため、登録資料が届いた時点で、新たに仮リストに登録した順番として正式リストに登録される。
本システムに正式登録以降は制限時間なしに勧誘を行うことができると同時に、順番が回ってくると各ネットワークビジネスにより設定されている人数まで下につけてもらえる。
【産業上の利用可能性】
【０００８】
ネットワークビジネスにおける勧誘する作業を行わなくてもよくなり分散されている勧誘作業を集めることができるようになる。
登録の順番を正確にし、距離的ハンディキャップを無くす。
仮リスト化の時点で勧誘することができるようにし登録までの時間を有効に使えるようにする。
【図面の簡単な説明】
【０００９】
【図１】実施形態を示すフローチャートである。
【符号の説明】
【００１０】
ユーザーサイド  ユーザーサイドは本システムにおけるユーザーの行動を示す。
システムサイド  システムサイドは本システムにおけるシステムの行動を示す。
【図１】
2005182333.tif 000003